(57)【要約】【課題】小型で設置が容易なパラペット作業用安全ネット装置を提供する。【解決手段】水平枠５の一端部に立枠６を連結し、立枠６の下端側に当て金２を設け、当て金２と共にクランプ７を構成する締付ネジ８及び押え金９を水平枠５の他端側下部に設けてなる左右一対のブラケット１，１と、当て枠３と、当て枠３の前面側下端部に下端縁部が取り付けられるネット４とからなり、両ブラケット１，１を所定間隔でパラペットＰ上に跨嵌し、両ブラケット１，１の当て金２，２間に係架された当て枠３をパラペットＰの屋外側壁Ｐａに当接させ且つその屋内側壁Ｐｂに押え金９を当接させた状態で両ブラケット１，１をクランプ７でパラペットＰに固定し、下端縁部が当て枠３に取り付けられたネット４の上端縁側を持ち上げて両ブラケット１，１の両立枠６，６間にネット４を張架し、ネット４の左右両端部側をブラケット１の立枠６と水平枠５との間に張架する。【選択図】図１
2010070932.tif 000002
【特許請求の範囲】
【請求項１】
水平枠の一端部に立枠を連結し、立枠の下端側に当て金を設け、当て金と共にクランプを構成する締付ネジ及び押え金を水平枠の他端側に設けてなる左右一対のブラケットと、所定間隔をおいた両ブラケットの当て金間に係架され、背面側がパラペットの屋外側壁に当接される横長状の当て枠と、当て枠の前面側下端部に沿って下端縁部が取り付けられるネットとからなり、両ブラケットを所定間隔でパラペット上に跨嵌し、両ブラケットの当て金間に係架された当て枠をパラペットの屋外側壁に当接させ且つその屋内側壁に押え金を当接させた状態で両ブラケットを夫々クランプによってパラペットに固定し、下端縁部が当て枠に取り付けられたネットの上端縁側を持ち上げて両ブラケットの両立枠間にネットを張架すると共に、ネットの左右両端部側を各ブラケットの立枠と水平枠との間に張架するようにしたパラペット作業用安全ネット装置。
【請求項２】
各ブラケットの水平枠は、固定枠材と、固定部材にスライド自在に嵌合されて所要位置で固定可能なスライド枠材とからなり、スライド枠材に垂下連結した取付枠材に前記締付ネジを螺装し、この締付ネジの先端部に押え金を取り付けてなる請求項１に記載のパラペット作業用安全ネット装置。
【請求項３】
各ブラケットの立枠は、下部枠材と、下部枠材の上端部に取り外し可能に連結固定される上部枠材とからなり、下部枠材の下端部からパラペットと対向する方向に突設された取付枠材の先端部に前記当て金を取り付けてなる請求項１又は２に記載のパラペット作業用安全ネット装置。
【請求項４】
前記ネットは、網状ネット本体とこれの下部側に縫い合わせられた布地とからなる請求項１〜３の何れかに記載のパラペット作業用安全ネット装置。
【発明の詳細な説明】
【技術分野】
【０００１】
本発明は、建物の屋上などの外周に建物外壁に沿って立ち上げられたパラペットの補修作業を行う際に使用されるパラペット作業用安全ネット装置に関する。
【背景技術】
【０００２】
建物の屋上などに設けられたパラペットは、コンクリートでできているため、ある程度年数が経つと、上面にクラック（ひび割れ）が入ることがあり、これを放置しておくと、そのクラック部分から雨水が浸入して建物内の水漏れの原因となる。しかして、このクラックを補修するには、パラペット上面のクラック発生部分からその周辺部分をドリルなどで所要深さ削り取るハツリ作業を行う必要がある。このハツリ作業を行う際には、ドリルなどによりコンクリートの表面部が砕かれて削り取られるから、そのコンクリートの破片などがパラペット上からそのまま屋外へ飛散・落下し、危険な事態を招くことになる。
【０００３】
従って、上記のようにパラペットのハツリ作業を行う時はパラペットの屋外側に、建築工事で仮設足場に取り付けて使用される安全ネットを張ることが望ましいが、パラペットの一部箇所でのハツリ作業のためにそのような安全ネットを張ることになると、枠組足場を仮設費用が非常に高くついて、割に合わず、そのため一部箇所でのパラペット作業は、一時的な応急処置をした上で、通常は、数年おきに実施される建物全体の大規模修繕工事の時まで待って、その工事時に一緒に行わせることが多い。しかしながら、パラペットに発生したクラック等を何年も放置することによって、建物内の水漏れが進んで取り返しの付かない事態になり兼ねないという問題がある。
【発明の開示】
【発明が解決しようとする課題】
【０００４】
本発明は、上記のような問題点に鑑みて、パラペットの一部箇所でのハツリ作業時にコンクリート破片などの飛散・落下を有効に防止し得る、小型且つコンパクトで簡単容易に設置可能なパラペット作業用安全ネット装置を提供することを目的とする。
【課題を解決するための手段】
【０００５】
上記課題を解決するための手段を、後述する実施形態の参照符号を付して説明すると、請求項１に係る発明は、水平枠５の一端部に立枠６を連結し、立枠６の下端側に当て金２を設け、当て金２と共にクランプ７を構成する締付ネジ８及び押え金９を水平枠５の他端側に設けてなる左右一対のブラケット１，１と、所定間隔をおいた両ブラケット１，１の当て金２，２間に係架され、背面側がパラペットＰの屋外側壁Ｐａに当接される横長状の当て枠３と、当て枠３の前面側下端部に沿って下端縁部が取り付けられるネット４とからなり、両ブラケット１，１を所定間隔でパラペットＰ上に跨嵌し、両ブラケット１，１の当て金２，２間に係架された当て枠３をパラペットＰの屋外側壁Ｐａに当接させ且つその屋内側壁Ｐｂに押え金９を当接させた状態で両ブラケット１，１を夫々クランプ７によってパラペットＰに固定し、下端縁部が当て枠３に取り付けられたネット４の上端縁側を持ち上げて両ブラケット１，１の両立枠６，６間にネット４を張架すると共に、ネット４の左右両端部側を各ブラケット１の立枠６と水平枠５との間に張架するようにしたことを特徴とする。
【０００６】
請求項２は、請求項１に記載のパラペット作業用安全ネット装置において、各ブラケット１の水平枠５は、固定枠材１０と、固定部材１０にスライド自在に嵌合されて所要位置で固定可能なスライド枠材１１とからなり、スライド枠材１１に垂下連結した取付枠材１２に前記締付ネジ８を螺装し、この締付ネジ８の先端部に押え金９を取り付けてなることを特徴とする。
【０００７】
請求項３は、請求項１又は２に記載のパラペット作業用安全ネット装置において、各ブラケット１の立枠６は、下部枠材１７と、下部枠材１７の上端部に取り外し可能に連結固定される上部枠材１８とからなり、下部枠材１７の下端部からパラペットＰと対向する方向に突設された取付枠材１７ａの先端部に前記当て金２を取り付けてなることを特徴とする。
【０００８】
請求項４は、請求項１〜３の何れかに記載のパラペット作業用安全ネット装置において、前記ネット４は、網状ネット本体２７とこれの下部側に縫い合わせられた布地２８とからなることを特徴とする。
【発明の効果】
【０００９】
上記解決手段による発明の効果を、後述する実施形態の参照符号を付して説明すると、請求項１に係る発明のパラペット作業用安全ネット装置は、小型でコンパクトであって、パラペットＰの上面でハツリ等の作業を行う場合にその作業箇所を中心としてその屋外側と左右両側を囲むような狭い範囲で簡単、容易に設置できるから、大掛かりな枠組足場を仮設することなくハツリ等のパラペット作業を安い費用で簡便に実施することができる。また、この安全ネット装置は、この安全ネット装置の使用時には、パラペットＰの上面でドリルＤによりハツリ等の作業を行う時に、パラペットＰ上から屋外へ飛散するコンクリートの破片等はネット４で受け止められるから、屋外への落下を防止し、危険な事態を回避することができる。
【００１０】
請求項２に係る発明の安全ネット装置によれば、各ブラケット１の水平枠５は、固定枠材１０と、これにスライド自在に嵌合されて所要位置で固定可能なスライド枠材１１と、からなるもので、スライド枠材１１に垂下連結した取付枠材１２に締付ネジ８を螺装し、この締付ネジ８の先端部に押え金９を取り付けているから、クランプ７を構成する当て金２と締付ネジ８の先端部の押え金９との間隔を調整する時に、スライド枠材１１によって大まかな調整を行った後、微調整を行う締付ネジ８を回転させることにより、クランプ操作が容易に行えると共に、屋内外方向の厚みが異なるパラペットＰに対して容易に対応可能となる。
【００１１】
請求項３に係る発明の安全ネット装置によれば、各ブラケット１の立枠６は、下部枠材１７と、これの上端部に取り外し可能に連結固定される上部枠材１８とからなるもので、下部枠材１７の下端部からパラペットＰと対向する方向に突設した取付枠材１７ａの先端部に当て金２を取り付けてなるものであるから、非使用時には上部枠材１８を取り外すことにより、立枠６を分解できて、嵩張らず、搬送・保管に便利となる。
【００１２】
請求項４に係る発明によれば、ネット４は、網状ネット本体２７と、この網状ネット本体２７の下部側に縫い合わせられた布地２８とからなるため、ハツリ作業時に発生して屋外へ飛散するコンクリートの細かな破片や粉粒体等は、ネット４の下部側に形成されている布地２８で受けられ、それらの屋外への落下を防止でき、そしてこの布地２８を除いてネット４の上部側が網状であるため、ネット４にかかる風圧を軽減できて、ネット４が風圧でブラケット１から外れて吹き飛んだりするようなことを防止できる。
【発明を実施するための最良の形態】
【００１３】
以下に本発明の好適な一実施形態を図面に基づいて説明すると、図１は本発明に係るパラペット作業用安全ネット装置をパラペットの屋内側から見た外観斜視図、図２は同装置の縦断側面図、図３は同装置をパラペットの屋外から見た正面図である。この安全ネット装置は、左右一対のブラケット１，１と、所定間隔をおいて配置した両ブラケット１，１の当て金２，２間に係架され、背面側がパラペットＰの屋外側壁Ｐａに当接される横長状の当て枠３と、この横長状当て枠３の前面側下端部に沿って下端縁部が取り付けられるネット４とから構成され、各ブラケット１は、水平枠５の一端部に立枠６を一体に連結し、この立枠６の下端側に当て金２を設け、この当て金２と共にクランプ７を構成する締付ネジ８及び押え金９を水平枠５の他端側下部に設けてなるものである。
【００１４】
安全ネット装置の構造について更に詳しく説明すれば、各ブラケット１の水平枠５は、角筒状の固定枠材１０と、この固定部材１０にスライド自在に外嵌合されて、所要位置で固定可能な角筒状のスライド枠材１１とからなるもので、スライド枠材１１の屋内側端部に垂下連結した角筒状の取付枠材１２に締付ネジ８を螺装し、この締付ネジ８の先端部に押え金９を取り付け、また締付ネジ８の基端部には回転操作杆１３を取り付けている。
【００１５】
図２に示すように、水平枠５の固定枠材１０には多数のネジ孔１４が所定ピッチで設けられ、固定枠材１０に外嵌されたスライド枠材１１には３つのボルト挿通孔１５が設けてあって、前記クランプ７で両ブラケット１，１をパラペットＰに固定する際に、スライド枠材１１を固定枠材１０に対しスライド調整し、スライド枠材１１の３つのボルト挿通孔１５のうちの２つ孔から夫々蝶ボルト１６を固定枠材１０側の対応する２つのネジ孔１４にねじ込むことにより取付枠材１２の位置を予め設定するようになっている。
【００１６】
また図２に示すように、各ブラケット１の立枠６は、角筒状の下部枠材１７と、この下部枠材１７の上端部に取り外し可能に連結固定される角筒状の上部枠材１８とからなり、下部枠材１７の下端部には取付枠材１７ａが突設され、この取付枠材１７ａの先端部に、前記押え金９に対向する方形板状の当て金２（図３及び図８参照）が取り付け固定されている。下部枠材１７の上端部には径小角筒状の連結端部１７ｂが一体に突設されていて、この連結端部１７ｂに上部枠材１８が外嵌合され、蝶ボルト１９により固定されるようになっている。このようにブラケット１の立枠６を下部枠材１７と上部枠材１８とに分割構成することによって、非使用時には分解して折り畳めるため、ブラケット１が嵩張らず、搬送・保管に便利となる。
【００１７】
前記クランプ７は、水平枠５の固定枠材１０から垂下されている取付枠材１２に螺装された締付ネジ８と、この締付ネジ８の先端部に取り付けられた押え金９と、立枠６の下部枠材１７に突設されている取付枠材１７ａの先端部に取り付けられた当て金２とによって構成されるもので、回転操作杆１３で締付ネジ８を回転させて、当て金２と押え金９とを対向方向に接近させることにより、当て枠３を介してブラケット１をパラペットＰの屋外側壁Ｐａと屋内側壁Ｐｂとに圧接固定するようにしたものである。尚、水平枠５には固定枠材１０の屋内側端部にリング２０が、また立枠６には上部枠材１８の上端部にリング２１が夫々取り付けられている。
【００１８】
横長状当て枠３は、図４及び図５に示すように、背面側がパラペットＰの屋外側壁Ｐａに当接される立板部３ａと、この立板部３ａの上端部に形成された断面下向きコ字状の係嵌部３ｂと、この係嵌部３ｂの下端から前方へ水平に突設された水平板部３ｃとからなるもので、立板部３ａの前面側下端部には補強板２２が溶接によって固着されている。そして、この補強板２２が取り付けられた立板部３ａの屋外側壁下端部には、螺軸２３が当て枠長さ方向に沿って一定ピッチで多数突設され、各螺軸２３にはナット２４が螺合されている。
【００１９】
図４、図６及び図８において、２５は帯状の押え板で、この押え板２５には、前記当て枠３の立板部３ａ下端部に突設された多数の螺軸２３に嵌挿する孔２６が螺軸２３と同じピッチで穿設されている。
【００２０】
前記ネット４は、網状のネット本体２７と、この網状ネット本体２７の下部側に縫い合わせられた非網状の布地２８とによって図４に示すような矩形シート状に形成され、これの周縁部には縁布２９が縫い付けられ、そしてこの縁布２９が縫い付けられたネット４の周縁部には前記螺軸２３や孔２６のピッチと同じピッチで鳩目孔３０が取り付けられている。なお、ネット周縁部に縫い付けられた縁布２９は、ネット４の下端側縁布を２９ａ、上端側縁布を２９ｂ、左右端側縁布を２９ｃとする。
【００２１】
また図４に示すように、ネット４の四隅の鳩目孔３０、及びこのネット４の上端縁部における端から例えば２番目の鳩目孔３０には、ネット取付用の縛り紐３１が取り付けられている。
【００２２】
上記のように構成されるパラペット作業用安全ネット装置の使用にあたっては、先ず、図４に示すように当て枠３の立板部３ａに多数突設された螺軸２３からナット２４を取り外し、それらの螺軸２３にネット４の下端側縁布２９の鳩目孔３０を挿嵌し、更に押え板２５の孔２６を挿嵌した後、それらの螺軸２３にナット２４を螺合し締め付けることにより、ネット４の下端側縁布２９ａを押え板２５と当て枠３の立板部３ａの間で挟着して、当て枠３とネット４と押え板２５とを一体的に組み付ける。この当て枠３とネット４と押え板２５とは、常時、このように一体的に組み付けた状態にしておく。
【００２３】
しかして、図１に示すように、パラペットＰの上面に発生したクラック部分をドリルＤによって所要深さ削り取るハツリ作業を行う時に、ハツリ作業箇所Ｈの両側所要箇所に左右一対のブラケット１，１を所要間隔に配置し、両ブラケット１，１の当て金２，２間に、ネット４の下端側縁布２９ａを取り付けた当て枠３の係嵌部３ｂを係架して、図２、図３及び図８の(a) に示す状態とした後、各ブラケット１のクランプ７の回転操作杆１３を回転操作して、押え金９をパラペットＰの屋内側壁Ｐｂに押接すると共に、当て金２を介して当て枠３をパラペットＰの屋外側壁Ｐａに当て付け、これによって両ブラケット１，１及び当て枠３をパラペットＰ上に固定する。
【００２４】
こうして両ブラケット１，１と当て枠３をパラペットＰ上に固定した後、下端側縁布２９ａが当て枠３に取り付けられたネット４の上端側縁布２９ｂ側を持ち上げて、両ブラケット１，１の両立枠６，６間にネット４を張架すると共に、ネット４の左右両端部側を各ブラケット１の立枠６と水平枠５との間に張架して、図１〜図３に示すような状態とする。
【００２５】
ネット４を両ブラケット１，１間に張架するには、図４に示すようにネット４の上端側縁布２９ｂの両端から内方寄りの位置に取り付けてある縛り紐３１を、各ブラケット１の立枠６の上端に設けてあるリング２１に引っ掛けて縛り付けた後、ネット４の左右両端部側を両ブラケット１，１の立枠６，６に係止した状態から屋内側へ引っ張って、図１に示すように三角形状に折り込んだ状態で、ネット４の上端側縁布２９ｂの両端に取り付けてある縛り紐３１及び下端側縁布２９ａに取り付けてある縛り紐３１を、各ブラケット１の水平枠５の所要箇所に引っ掛けて縛り付けることにより、図１〜図３に概略示すような状態とし、それによってパラペットＰ上面はハツリ作業箇所Ｈの屋外側及びその左右両側がネット４で包囲され、そしてパラペットＰの屋外側ではネット４の下部側が図２及び図８に示すように袋状となってコンクリートの削り屑等を受け入れるようになっている。
【００２６】
上記のようなパラペット作業用安全ネット装置は、パラペットＰの上面でのハツリ等の作業を行う場合にその作業箇所を中心としてその屋外側と左右両側を囲むような狭い範囲で簡単容易に設置でき、枠組足場を仮設することなくハツリ等のパラペット作業を非常にに安い費用で行うことができる。
【００２７】
このパラペット作業用安全ネット装置の使用において、パラペットＰの上面でドリルＤによってハツリ作業を行う時に、パラペットＰ上から屋外へ飛散するコンクリートの削り屑等はネット４で受け止められるから、屋外への落下を防止し、危険な事態を回避することができる。
【００２８】
また、ネット４は、網状ネット本体２７と、この網状ネット本体２７の下部側に縫い合わせられた布地２８とからなるため、ハツリ作業時に発生して屋外へ飛散するコンクリートの細かな削り屑、特に粉粒体等は、ネット４の下部側に形成されている布地２８で受け止められるから、それらの屋外への排出・落下を防止でき、そしてこの布地２８を除いてネット４の上部側が網状であるため、ネット４にかかる風圧を軽減することができる。
【００２９】
また、各ブラケット１の水平枠５は、固定枠材１０と、この固定部材１０にスライド自在に嵌合されて所要位置で固定可能なスライド枠材１１とからなるもので、スライド枠材１１に垂下連結した取付枠材１２に締付ネジ８を螺装し、この締付ネジ８の先端部に押え金９を取り付けているから、クランプ７を構成する当て金２と締付ネジ８の先端部の押え金９との間隔を調整する時に、スライド枠材１１によって大まかな調整を行った後、微調整を行う締付ネジ８を回転させることにより、クランプ操作が容易となる。
【００３０】
各ブラケット１の立枠６は、下部枠材１７と、これの上端部に取り外し可能に連結固定される上部枠材１８とからなるもので、下部枠材１７の下端部からパラペットＰと対向する方向に突設した取付枠材１７ａの先端部に当て金２を取り付けてなるものであるから、非使用時には上部枠材１８を取り外すことにより、立枠６を分解できて、嵩張らず、搬送・保管に便利となる。
【００３１】
尚、図１に示すように、両ブラケット１，１の水平枠５を構成する固定枠材１０の屋内側端部に夫々取り付けてあるリング２０，２０には、安全ロープ３２が取り付けられる。この安全ロープ３２は、基端部側が屋上にある支柱等の固定構造物に取り付けてあって、安全ネット装置をパラペットＰ上に取り付ける時又はそれから取り外す時に安全ネット装置がパラペットＰ上から屋外に落下するのを防止するものである。
【００３２】
また、図８に示すように、当て枠３の立板部３ａの背面側にゴム製のクッションシート３３を取り付けてもよく、こうするとによって当て枠３をパラペットＰの屋外側壁Ｐａに密着状態で安定良く当て付けることができると共に、ブラケット１が多少振動しても当て枠３がガタつくようなことがない。
【図面の簡単な説明】
【００３３】
【図１】本発明に係るパラペット作業用安全ネット装置をパラペットの屋内側から見た外観斜視図である。
【図２】同装置の縦断側面図である。
【図３】同装置をパラペットの屋外から見た正面図である。
【図４】当て枠とネットと押え板とをバラバラの状態で示す斜視図である。
【図５】(a) は当て枠の一部拡大正面図、(b) は(a) のＸ−Ｘ線断面図である。
【図６】(a) は押え板の一部拡大正面図、(b) は端面図である。
【図７】(a) は図４のＹ−Ｙ線拡大断面図、(b) は図４のＺ−Ｚ線拡大断面図である。
【図８】(a) は両ブラケットの当て金間に当て枠を係架した状態の一部拡大正面図、(b) は(a) のＶ−Ｖ線断面図である。
【符号の説明】
【００３４】
１            ブラケット
２            当て金
３            当て枠
４            ネット
５            水平枠
６            立枠
７            クランプ
８            締付ネジ
９            押え金
１０          固定部材
１１          スライド枠材
１２          取付枠材
１７          下部枠材
１８          上部枠材
【図１】
2010070932.tif 000003
【図２】
2010070932.tif 000004
【図３】
2010070932.tif 000005
【図４】
2010070932.tif 000006
【図５】
2010070932.tif 000007
【図６】
2010070932.tif 000008
【図７】
2010070932.tif 000009
【図８】
2010070932.tif 000010